(57)【要約】【課題】並列ＵＰＳシステムでは、同期制御信号を送る電気ケ−ブルが、複数のＵＰＳやそれらの出力切換盤の設置場所の関係で、どうしても長くなりしかも湾曲して敷設しなければならないような場合が稀にあり、その場合は、各ＵＰＳ間に横流が発生する場合がある。【解決手段】同期制御信号が電気ケ−ブル４１，４２を介して供給され夫々同期して並列運転される複数のＵＰＳ１１，１２を備えた並列ＵＰＳシステムにおいて、前記同期制御信号の発信側及び受信側の双方に跨って設けられ前記電気ケ−ブルに起因して前記同期制御信号の受信側に生じる歪みを除去する歪除去システム５を有し、この歪除去システムにより歪みが除去された同期制御信号を前記ＵＰＳ１１，１２のインバ−タ１０５に供給する。【選択図】        図１
2004357387.tif 000002
【特許請求の範囲】
【請求項１】
同期制御信号が電気ケ−ブルを介して供給され夫々同期して並列運転される複数のＵＰＳを備えた並列ＵＰＳシステムにおいて、前記同期制御信号の発信側及び受信側の双方に跨って設けられ前記電気ケ−ブルに起因して前記同期制御信号の受信側に生じる歪みを除去する歪除去システムを有し、この歪除去システムにより歪みが除去された同期制御信号を前記ＵＰＳのインバ−タに供給することを特徴とする並列ＵＰＳシステム。
【請求項２】
請求項１に記載の並列ＵＰＳシステムにおいて、歪除去システムは、前記同期制御信号発信側に夫々設けられ第１の同期制御信号を発生する第１の同期制御信号発信手段と前記第１の同期制御信号と逆極性の第２の同期制御信号を発生する第２の同期制御信号発信手段と、前記同期制御信号受信側に設けられ前記電気ケ−ブルを介して受信した前記第１の同期制御信号と前記第２の同期制御信号とを合成して第３の同期制御信号を生成し当該第３の同期制御信号を前記ＵＰＳのインバ−タに供給する信号合成手段とで構成されていることを特徴とする並列ＵＰＳシステム。
【請求項３】
請求項１に記載の並列ＵＰＳシステムにおいて、歪除去システムは、前記同期制御信号発信側に夫々設けられ第１の同期制御信号を発生する第１の同期制御信号発信手段と前記第１の同期制御信号と位相が異なる同極性の第２の同期制御信号を発生する第２の同期制御信号発信手段と、前記同期制御信号受信側に設けられ前記第１の同期制御信号と前記第２の同期制御信号とを加算して第３の同期制御信号を生成し当該第３の同期制御信号を前記ＵＰＳのインバ−タに供給する信号加算手段とで構成されていることを特徴とする並列ＵＰＳシステム。
【請求項４】
共通の同期制御信号が電気ケ−ブルを介して供給され夫々同期して並列運転される複数のＵＰＳを備えた並列ＵＰＳシステムにおいて、前記電気ケ−ブルに起因して同期制御信号の受信側に生じる歪みを除去する同期制御信号加工手段を前記受信側に設け、前記同期制御信号加工手段により歪みが除去された同期制御信号を前記ＵＰＳのインバ−タに供給することを特徴とする並列ＵＰＳシステム。
【請求項５】
請求項４に記載の並列ＵＰＳシステムにおいて、前記同期制御信号加工手段が前記ＵＰＳの各々の受信側に設けられ、前記同期制御信号加工手段が前記同期制御信号の立ち上がりでトリガされ夫々対応ＵＰＳのインバ−タに前記歪みが除去された同期制御信号を供給することを特徴とする並列ＵＰＳシステム。
【請求項６】
請求項４に記載の並列ＵＰＳシステムにおいて、前記複数のＵＰＳのうちの一のＵＰＳの受信側に前記同期制御信号加工手段を設け、この同期制御信号加工手段により歪みが除去された同期制御信号を前記複数のＵＰＳの各インバ−タに供給することを特徴とする並列ＵＰＳシステム。
【請求項７】
共通の同期制御信号が電気ケ−ブルを介して供給され夫々同期して並列運転される複数のＵＰＳを備えた並列ＵＰＳシステムにおいて、正弦波の同期制御信号を発生する同期制御信号発生手段を同期制御信号発信側に設け、前記電気ケ−ブルを介して送られてきた正弦波の同期制御信号を受信用リレ−によりパルス信号の同期制御信号として前記ＵＰＳのインバ−タに供給することを特徴とする並列ＵＰＳシステム。
【発明の詳細な説明】
【０００１】
【発明の属する技術分野】
この発明は、複数台のＵＰＳ（Ｕｎｉｎｔｅｒｒｕｐｔｅｄ  Ｐｏｗｅｒ  Ｓｕｐｐｌｙの略称で無停電電源装置とも言われている）を並列運転する並列ＵＰＳシステムに関するものである。
【０００２】
【従来の技術】
複数台のＵＰＳを並列運転する並列ＵＰＳシステムにおいては、通常各ＵＰＳのインバ−タに同期制御信号を供給して各ＵＰＳのインバ−タを同時点弧させ各ＵＰＳ間に横流が流れないようにしてある。
【０００３】
【非特許文献１】
三菱無停電電源装置［ＵＰＳ］カタログ（１６ペ−ジの図）
【０００４】
【発明が解決しようとする課題】
ところで、前記各ＵＰＳのインバ−タを同時点弧させる同期制御信号は、各ＵＰＳに共通の単一の同期制御信号発生回路が発生するパルス信号であり、電気ケ−ブルを介して同期制御信号発生回路から前記各ＵＰＳに供給される。一方、前記各ＵＰＳは単機運転されることもあることから、一般的には前記各ＵＰＳの出力側に出力切換盤が設けられており、この出力切換盤を切り換えることにより、前記各ＵＰＳは単機運転から並列運転に切り換えられるので、前記同期制御信号発生回路は、一般的には前記出力切換盤内に設けられ、前記各ＵＰＳが単機運転から並列運転に切り換えられると前記同期制御信号発生回路が同期制御信号を発生するように構成されている。
【０００５】
また、通常は、前記各ＵＰＳ及び前記出力切換盤は同一室内に隣接して設置される。ところが、例えば、設置場所が元来ＵＰＳ１台での単機運転しか想定してなく狭隘な場所にＵＰＳ１台を設置していたようなケ−スで、その後の信頼性向上または負荷の増大によりＵＰＳを増設して各ＵＰＳを並列運転するような場合には、稀に、各ＵＰＳは何とか同一室内に設置できても、前記出力切換盤は、やむなく他の室内に設置せざるを得ない場合がある。
【０００６】
このような場合、前記各ＵＰＳが同一室内に設置されているとはいえ、前記各ＵＰＳ間に横流が流れる現象が稀に生じる。このような場合に前記各ＵＰＳ間に横流が流れる現象は、前記出力切換盤と前記各ＵＰＳとの距離が長く、即ち、前記出力切換盤内の前記同期制御信号発生回路と前記各ＵＰＳとの距離が長く、前記同期制御信号を送る電気ケ−ブル長が長くなりしかも当該電気ケ−ブルを何箇所か湾曲している場合に生じている。
【０００７】
換言すれば、前記出力切換盤と前記各ＵＰＳとの距離が長く、即ち、前記出力切換盤内の前記同期制御信号発生回路と前記各ＵＰＳとの距離が長く、前記同期制御信号を送る電気ケ−ブル長が長くなりしかも当該電気ケ−ブルを何箇所か湾曲している場合には、前記同期制御信号発生回路が発信した同期制御信号と前記各ＵＰＳ側で受信した同期制御信号とが一致していないことが考えられる。つまり、一方のＵＰＳのインバ−タの点弧時期と他方のＵＰＳのインバ−タの点弧時期との位相が一致していないことが考えられる。つまり、前記同期制御信号発生回路の出力端と前記ＵＰＳの入力端とを接続し前記同期制御信号発生回路から前記ＵＰＳへ送る電気ケ−ブルが原因で、前記同期制御信号発生回路が発信した同期制御信号と前記各ＵＰＳ側で受信した同期制御信号とが一致していないと考えられる。
【０００８】
この発明は、前述のような従来の実情に鑑みてなされたもので、複数台のＵＰＳを並列運転する並列ＵＰＳシステムにおいて、その設置環境から同期制御信号発生回路が発信した同期制御信号と前記各ＵＰＳ側で受信した同期制御信号とが一致していないことによる各ＵＰＳ間の横流の発生を防止することを目的とするものである。
【０００９】
【課題を解決するための手段】
この発明に係る並列ＵＰＳシステムは、共通の同期制御信号が電気ケ−ブルを介して供給され夫々同期して並列運転される複数のＵＰＳを備えた並列ＵＰＳシステムにおいて、前記同期制御信号の発信側及び受信側の双方に跨って設けられ前記電気ケ−ブルに起因して前記同期制御信号の受信側に生じる歪みを除去する歪除去システムを有し、この歪除去システムにより歪みが除去された同期制御信号を前記ＵＰＳのインバ−タに供給するものである。
【００１０】
また、この発明に係る並列ＵＰＳシステムは、共通の同期制御信号が電気ケ−ブルを介して供給され夫々同期して並列運転される複数のＵＰＳを備えた並列ＵＰＳシステムにおいて、前記電気ケ−ブルに起因して同期制御信号の受信側に生じる歪みを除去する同期制御信号加工手段を前記受信側に設け、前記同期制御信号加工手段により歪みが除去された同期制御信号を前記ＵＰＳのインバ−タに供給するものである。
【００１１】
また、この発明に係る並列ＵＰＳシステムは、共通の同期制御信号が電気ケ−ブルを介して供給され夫々同期して並列運転される複数のＵＰＳを備えた並列ＵＰＳシステムにおいて、前記電気ケ−ブルにおける信号反射が生じにくい正弦波の同期制御信号を発生する同期制御信号発生手段を同期制御信号発信側に設け、前記電気ケ−ブルを介して送られてきた正弦波の同期制御信号を受信用リレ−によりパルス信号の同期制御信号として前記ＵＰＳのインバ−タに供給するものである。
【００１２】
【発明の実施の形態】
実施の形態１．
以下、この発明の実施の形態１を図１に基づいて説明する。図１（ａ）は同期制御信号の伝送経路を主体的に示す並列ＵＰＳシステムの構成図、図１（ｂ）は図１（ａ）の各部における同期制御信号の波形を示す図である。
【００１３】
図１（ａ）および図１（ｂ）において、並列ＵＰＳシステムは、第１のＵＰＳ１１と、第２のＵＰＳ１２と、これら第１のＵＰＳ１１及び第２のＵＰＳ１２を単機運転から並列運転に切り換える出力切換盤２と、この出力切換盤２の操作により前記第１のＵＰＳ１１及び前記第２のＵＰＳ１２を単機運転から並列運転に切り換える電磁接触器などの切換開閉器３１，３２と、前記出力切換盤２から前記第１のＵＰＳ１１へ同期制御信号を伝送する第１の電気ケ−ブル４１と、前記出力切換盤２から前記第２のＵＰＳ１２へ同期制御信号を伝送する第２の電気ケ−ブル４２とから構成されている。
【００１４】
この発明の実施の形態１の事例は、例えば、前述のように、元来、前記第１のＵＰＳ１１による１台での単機運転しか想定してなく、狭隘な場所に前記第１のＵＰＳ１１を設置していたようなケ−スであり、その後の信頼性向上または負荷の増大により前記第２のＵＰＳ１２を増設して前記第１のＵＰＳ１１及び前記第２のＵＰＳ１２を並列運転するような場合であって、前記第１のＵＰＳ１１及び前記第２のＵＰＳ１２は何とか同一室内に設置できたが、前記出力切換盤２は、前記第１のＵＰＳ１１及び前記第２のＵＰＳ１２と同一室内には設置スペ−スが無く、やむなく前記第１のＵＰＳ１１及び前記第２のＵＰＳ１２の設置場所とは異なる階の他の室内に設置されている場合を例示してある。
【００１５】
前記出力切換盤２内には、前記出力切換盤２によって第１のＵＰＳ１１及び第２のＵＰＳ１２を単機運転から並列運転に切り換えると同期制御信号を出力する同期制御信号発生回路２１が設けられている。
【００１６】
この同期制御信号発生回路２１は、同期制御信号を発生する為にスイッチングを繰り返し行うスイッチング要素２１１と、＋電位電源２１２と、周期Ｔのパルス信号である第１の同期制御信号ＳＳ１１（図１（ｂ））を発信する第１の同期制御信号発信手段２１３と、周期Ｔのパルス信号であり前記第１の同期制御信号ＳＳ１１とは逆極性の第２の同期制御信号ＳＳ１２（図１（ｂ））を発信する第２の同期制御信号発信手段２１４とを備えている。なお、前記逆極性は、前記第１の同期制御信号ＳＳ１１が「１」のときに前記第２の同期制御信号ＳＳ１２が「０」であり、前記第１の同期制御信号ＳＳ１１が「０」のときに前記第２の同期制御信号ＳＳ１２が「１」であることを意味し、以下、逆極性の用語は、同様な意味で使用する。
【００１７】
前記第１のＵＰＳ１１及び前記第２のＵＰＳ１２は、何れもその構成は同じであり、夫々、第１の同期制御信号ＳＳ１１（図１（ｂ））を受信する第１の受信用リレ−１０１と、第２の同期制御信号ＳＳ１２（図１（ｂ））を受信する第２の受信用リレ−１０２と、前記第１の受信用リレ−１０１の出力と前記第２の受信用リレ−１０２の出力とを合成し第３の同期制御信号ＳＳ３（図１（ｂ））を出力する例えばパルス合成回路からなる信号合成回路１０３と、この信号合成回路１０３から第３の同期制御信号ＳＳ３（図１（ｂ））を受けて位相同期制御信号を出力する位相同期制御回路１０４と、この位相同期制御回路１０４から前記位相同期制御信号を受けて作動するインバ−タ１０５とを備えている。
【００１８】
前記第１のＵＰＳ１１及び前記第２のＵＰＳ１２の各インバ−タ１０５は、前記位相同期制御回路１０４から前記位相同期制御信号を受けて当該位相同期制御信号に依存した周期で点弧信号を出力する駆動回路１０５１と、この駆動回路１０５１からの点弧信号により制御された交流電力を出力するインバ−タ回路１０５２と、インバ−タ出力端子１０５３とを備えている。
【００１９】
また、前記第１の同期制御信号発信手段２１３と、前記第２の同期制御信号発信手段２１４と、前記第１の電気ケ−ブル４１と、前記第２の電気ケ−ブル４２と、前記第１の受信用リレ−１０１と、前記第２の受信用リレ−１０２と、前記パルス合成回路（信号合成手段）１０３とで、歪除去システム５が、前記第１のＵＰＳ１１及び前記第２のＵＰＳ１２の夫々に対して構成されている。また、前記切換開閉器３１，３２は、前記出力切換盤２により前記単機運転から前記並列運転に切り換えられると、双方が閉路され、前記第１及び第２のＵＰＳ１１，１２の各インバ−タ出力端子１０５３は、相互に接続電力線６で接続され、前記第１及び第２のＵＰＳ１１，１２は並列運転となる。
【００２０】
次に前述の図１（ａ）の並列ＵＰＳシステムの動作を、図１（ｂ）の各部の波形を参照しながら説明する。
【００２１】
先ず、前提条件として、図１（ａ）の並列ＵＰＳシステムは、前述のように、例えば、元来、前記第１のＵＰＳ１１による１台での単機運転しか想定してなく、狭隘な場所に前記第１のＵＰＳ１１を設置していたようなケ−スであり、その後の信頼性向上または負荷の増大により前記第２のＵＰＳ１２を増設して前記第１のＵＰＳ１１及び前記第２のＵＰＳ１２を並列運転するような場合であって、前記第１のＵＰＳ１１及び前記第２のＵＰＳ１２は何とか同一室内に設置できたが、前記出力切換盤２は、前記第１のＵＰＳ１１及び前記第２のＵＰＳ１２と同一室内には設置スペ−スが無く、やむなく前記第１のＵＰＳ１１及び前記第２のＵＰＳ１２の設置場所とは異なる階の他の室内に設置されている場合である。つまり、前記出力切換盤２と前記第１のＵＰＳ１１及び前記第２のＵＰＳ１２との間に敷設された前記第１の電気ケ−ブル４１および前記第２の電気ケ−ブル４２が、異なる部屋に跨って各所で湾曲されて延在している稀なケ−スである。
【００２２】
このような前提において、前記第１のＵＰＳ１１及び前記第２のＵＰＳ１２が、前記出力切換盤２によって、単機運転から並列運転に切り換えられると、前記同期制御信号発生回路２１のスイッチング要素２１１が周期的に繰り返しスイッチング動作し始め、前記第１の同期制御信号発信手段２１３が周期Ｔのパルス信号である第１の同期制御信号ＳＳ１１（図１（ｂ））を発信し始めると共に、前記第２の同期制御信号発信手段２１４が周期Ｔのパルス信号であり前記第１の同期制御信号ＳＳ１１とは逆極性の第２の同期制御信号ＳＳ１２（図１（ｂ））を発信し始める。
【００２３】
このように、同期制御信号発信側で前記第１の同期制御信号ＳＳ１１（図１（ｂ））及び第２の同期制御信号ＳＳ１２（図１（ｂ））を発信し始めると、受信側である前記第１のＵＰＳ１１および第２のＵＰＳ１２の各々における前記第１の受信用リレ−１０１は、パルス信号である前記第１の同期制御信号ＳＳ１１（図１（ｂ））の立ち上がりで動作し立下りで不動作となり、同様に前記第２の受信用リレ−１０２も、パルス信号である前記第２の同期制御信号ＳＳ１２（図１（ｂ））の立ち上がりで動作し立下りで不動作となる動作を、前記第１の同期制御信号ＳＳ１１（図１（ｂ））および前記第２の受信用リレ−１０２の周期Ｔと同じ周期Ｔで繰り返し、前記第１の受信用リレ−１０１は、動作出力ＳＳ２１（図１（ｂ））を出し、前記第２の受信用リレ−１０２は、前記第１の受信用リレ−１０１と逆極性の動作出力ＳＳ２２（図１（ｂ））を出す。
【００２４】
ここで、図１（ｂ）に示してあるように、前記第１の受信用リレ−１０１および前記第２の受信用リレ−１０２の各動作出力ＳＳ２１，ＳＳ２２には、それらのレベル「１」の各パルスに、極めて短期間であるが、レベル「０」の信号欠陥ｓｓｄが生じている。即ち、前記同期制御信号発信側で発信された前記第１の同期制御信号ＳＳ１１（図１（ｂ））と前記同期制御信号受信側の前記第１の受信用リレ−１０１の動作出力（受信側の同期制御信号）ＳＳ２１（図１（ｂ））とが同一ではなく異なったものとなっている。同様に、前記同期制御信号発信側で発信された前記第２の同期制御信号ＳＳ１２（図１（ｂ））と前記同期制御信号受信側の前記第２の受信用リレ−１０２の動作出力（受信側の同期制御信号）ＳＳ２２（図１（ｂ））とが同一ではなく異なったものとなっている。
【００２５】
このような信号欠陥ｓｓｄが生じている状態で前記第１の受信用リレ−１０１および前記第２の受信用リレ−１０２の動作出力が何の処理もされずに各ＵＰＳ１１，１２の位相同期制御回路１０４に供給されると、各ＵＰＳ１１，１２の各インバ−タ回路１０５２の出力位相が一致せず非同期状態となり各ＵＰＳ１１，１２間に横流が流れることになる。しかし、図１（ａ）に示してあるように、前記第１の受信用リレ−１０１および前記第２の受信用リレ−１０２の各動作出力ＳＳ２１，ＳＳ２２を、パルス合成回路などの信号合成手段１０３で合成することにより、該信号合成手段１０３の出力端からは、前記信号欠陥ｓｓｄが無く且つ前記同期制御信号発信側で発信された前記第１の同期制御信号ＳＳ１１（図１（ｂ））と同位相同周期のパルス信号ＳＳ３（第３の同期制御信号）が出力される。
【００２６】
前記各ＵＰＳ１１，１２においては、前記信号欠陥ｓｓｄが無く且つ前記同期制御信号発信側で発信された前記第１の同期制御信号ＳＳ１１（図１（ｂ））と同位相同周期のパルス信号ＳＳ３（第３の同期制御信号）が前記信号合成手段１０３から前記位相同期制御回路１０４に供給されるので、各ＵＰＳ１１，１２の各インバ−タ回路１０５２の出力位相が一致して同期状態となり各ＵＰＳ１１，１２間に横流が流れるようなことは無くなる。
【００２７】
なお、前記第１の受信用リレ−１０１および前記第２の受信用リレ−１０２の各動作出力ＳＳ２１，ＳＳ２２の信号欠陥ｓｓｄは、前記前提条件、即ち、元来、前記第１のＵＰＳ１１による１台での単機運転しか想定してなく、狭隘な場所に前記第１のＵＰＳ１１を設置していたようなケ−スであり、その後の信頼性向上または負荷の増大により前記第２のＵＰＳ１２を増設して前記第１のＵＰＳ１１及び前記第２のＵＰＳ１２を並列運転するような場合であって、前記第１のＵＰＳ１１及び前記第２のＵＰＳ１２は何とか同一室内に設置できたが、前記出力切換盤２は、前記第１のＵＰＳ１１及び前記第２のＵＰＳ１２と同一室内には設置スペ−スが無く、やむなく前記第１のＵＰＳ１１及び前記第２のＵＰＳ１２の設置場所とは異なる階の他の室内に設置されている場合以外でも、例えば、前記第１のＵＰＳ１１、前記第２のＵＰＳ１２、及び前記出力切換盤２を同一室内に設置した場合であっても、他の電動機等の負荷や機器のレイアウトを変えることなく、前記出力切換盤２を、前記第１のＵＰＳ１１や前記第２のＵＰＳ１２から１０メ−トル前後或いはそれ以上離れた位置に設置し、前記同期制御信号を送る第１及び第２の電気ケ−ブル４１，４２を１０メ−トル前後或いはそれ以上長いものとし且つ前記他の電動機等の負荷や機器を避けながら湾曲して敷設した場合にも、発生し、このような場合にも、前述の歪除去システム５により、前記第１のＵＰＳ１１及び前記第２のＵＰＳ１２間の横流の発生を防止できる。
【００２８】
前述のこの発明の実施の形態１は、概念的には、同期制御信号ＳＳ１１，ＳＳ１２が電気ケ−ブル４１，４２を介して供給され夫々同期して並列運転される複数のＵＰＳ１１，１２を備えた並列ＵＰＳシステムにおいて、前記同期制御信号ＳＳ１１，ＳＳ１２の発信側（同期制御信号発生回路２１側）および受信側（前記ＵＰＳ１１，１２側）の双方に跨って設けられ前記電気ケ−ブル４１，４２に起因して前記同期制御信号の受信側に生じる歪みｓｓｄを除去する歪除去システム５を有し、この歪み除去システム５により歪みが除去された同期制御信号ＳＳ３を前記各ＵＰＳ１１，１２のインバ−タ１０５に供給するものであり、また、前記歪除去システム５は、前記同期制御信号発信側に夫々設けられ第１の同期制御信号ＳＳ１１を発生する第１の同期制御信号発信手段２１３と前記第１の同期制御信号同期制御信号ＳＳ１１と逆極性の第２の同期制御信号ＳＳ１２を発生する第２の同期制御信号発信手段２１４と、前記同期制御信号受信側に設けられ前記電気ケ−ブルを介して受信した前記第１の同期制御信号ＳＳ２１と前記第２の同期制御信号ＳＳ２２とを合成して第３の同期制御信号ＳＳ３を生成し当該第３の同期制御信号ＳＳ３を前記インバ−タ１０５に供給する信号合成手段１０３とで構成されているものである。
【００２９】
従って、前述のように、例えば、元来、前記第１のＵＰＳ１１による１台での単機運転しか想定してなく、狭隘な場所に前記第１のＵＰＳ１１を設置していたようなケ−スであり、その後の信頼性向上または負荷の増大により前記第２のＵＰＳ１２を増設して前記第１のＵＰＳ１１及び前記第２のＵＰＳ１２を並列運転するような場合であって、前記第１のＵＰＳ１１及び前記第２のＵＰＳ１２は何とか同一室内に設置できたが、前記出力切換盤２は、前記第１のＵＰＳ１１及び前記第２のＵＰＳ１２と同一室内には設置スペ−スが無く、やむなく前記第１のＵＰＳ１１及び前記第２のＵＰＳ１２の設置場所とは異なる階の他の室内に設置されている場合や、例えば、前記第１のＵＰＳ１１、前記第２のＵＰＳ１２、及び前記出力切換盤２を同一室内に設置した場合であっても、他の電動機等の負荷や機器のレイアウトを変えることなく、前記出力切換盤２を、前記第１のＵＰＳ１１や前記第２のＵＰＳ１２から１０メ−トル前後或いはそれ以上離れた位置に設置し、前記同期制御信号を送る第１及び第２の電気ケ−ブル４１，４２を１０メ−トル前後或いはそれ以上長いものとし且つ前記他の電動機等の負荷や機器を避けながら湾曲して敷設した場合に、前記のような電気ケ−ブルを介して受信側で受信した同期制御信号ＳＳ２１，ＳＳ２２に前記信号欠陥ｓｓｄ等の歪みが発生しても、前述の歪除去システム５により、つまり、前記同期制御信号発信側に夫々設けられ第１の同期制御信号ＳＳ１１を発生する第１の同期制御信号発信手段２１３と前記第１の同期制御信号同期制御信号ＳＳ１１と逆極性の第２の同期制御信号ＳＳ１２を発生する第２の同期制御信号発信手段２１４と、前記同期制御信号受信側に設けられ前記電気ケ−ブルを介して受信した前記第１の同期制御信号ＳＳ２１と前記第２の同期制御信号ＳＳ２２とを合成して第３の同期制御信号ＳＳ３を生成し当該第３の同期制御信号ＳＳ３を前記インバ−タ１０５に供給する信号合成手段１０３とにより、前記第１のＵＰＳ１１、前記第２のＵＰＳ１２間の横流の発生を防止できる。
【００３０】
実施の形態２．
以下、この発明の実施の形態２を図２に基づいて説明する。図２（ａ）は同期制御信号の伝送経路を主体的に示す並列ＵＰＳシステムの構成の一例を示す図、図２（ｂ）は図２（ａ）の各部における同期制御信号の波形の一例を示す図である。なお、図２（ａ）及び図２（ｂ）において、前述の図１（ａ）及び図１（ｂ）と同一又は相当する部分には前述の図１（ａ）及び図１（ｂ）と同一符号を付し、前述の図１（ａ）及び図１（ｂ）と異なる部分のみを説明する。
【００３１】
この発明の実施の形態２も、この発明の実施の形態１において前述した前提条件と同じ前提条件下で実施されるものである。
【００３２】
図２（ａ）及び図２（ｂ）に示すこの発明の実施の形態２おいては、同期信号発生回路２１における第１の同期制御信号発信手段２１３の出力ＳＳ１１および第２の同期制御信号発信手段２１４の出力ＳＳ１２のパルス周期を、位相同期制御回路１０４に供給されるべき本来の同期制御信号ＳＳ２１の周期Ｔの２倍の周期２Ｔ（前記本来の同期制御信号の周波数の１／２の周波数）とし、且つ、前記第１の同期制御信号発信手段２１３の出力ＳＳ１１のパルス位相と前記第２の同期制御信号発信手段２１４の出力ＳＳ１２のパルス位相とを、前記本来の同期制御信号の周期Ｔだけずらしてあり、これら第１の同期制御信号発信手段２１３の出力ＳＳ１１および第２の同期制御信号発信手段２１４の出力ＳＳ１２を受信する第１の受信用リレ−１０１及び第２の受信用リレ−１０２の出力を、パルス加算回路等からなる信号加算手段１０３で加算し、この信号加算手段１０３での加算出力ＳＳ２１が、周期Ｔの本来の同期制御信号と同じ第３の同期制御信号ＳＳ２１となり、位相同期制御回路１０４に供給される。
【００３３】
歪除去システム５は、前記第１の同期制御信号発信手段２１３と、前記第２の同期制御信号発信手段２１４と、第１の電気ケ−ブル４１と、第２の電気ケ−ブル４２と、前記第１の受信用リレ−１０１と、前記第２の受信用リレ−１０２と、前記パルス加算回路（信号加算手段）１０３とで、前記第１のＵＰＳ１１及び前記第２のＵＰＳ１２の夫々に対して構成されている。
【００３４】
前記第１の同期制御信号発信手段２１３の出力である周期２Ｔの第１の同期制御信号ＳＳ１１は、前記第１の電気ケ−ブル４１を介して、前記第１のＵＰＳ１１及び前記第２のＵＰＳ１２の各第１の受信用リレ−１０１に送られ、前記第２の同期制御信号発信手段２１４の出力である第２の同期制御信号ＳＳ１２は、前記第２の電気ケ−ブル４２を介して、前記第１のＵＰＳ１１及び前記第２のＵＰＳ１２の各第２の受信用リレ−１０２に送られる。
【００３５】
前述のように、例えば、元来、前記第１のＵＰＳ１１による１台での単機運転しか想定してなく、狭隘な場所に前記第１のＵＰＳ１１を設置していたようなケ−スであり、その後の信頼性向上または負荷の増大により前記第２のＵＰＳ１２を増設して前記第１のＵＰＳ１１及び前記第２のＵＰＳ１２を並列運転するような場合であって、前記第１のＵＰＳ１１及び前記第２のＵＰＳ１２は何とか同一室内に設置できたが、前記出力切換盤２は、前記第１のＵＰＳ１１及び前記第２のＵＰＳ１２と同一室内には設置スペ−スが無く、やむなく前記第１のＵＰＳ１１及び前記第２のＵＰＳ１２の設置場所とは異なる階の他の室内に設置されている場合や、例えば、前記第１のＵＰＳ１１、前記第２のＵＰＳ１２、及び前記出力切換盤２を同一室内に設置した場合であっても、他の電動機等の負荷や機器のレイアウトを変えることなく、前記出力切換盤２を、前記第１のＵＰＳ１１や前記第２のＵＰＳ１２から１０メ−トル前後或いはそれ以上離れた位置に設置し、前記同期制御信号を送る第１及び第２の電気ケ−ブル４１，４２を１０メ−トル前後或いはそれ以上長いものとし且つ前記他の電動機等の負荷や機器を避けながら湾曲して敷設した場合にも、前述の図２（ａ），図２（ｂ）に示すこの発明の実施の形態２によれば、前記電気ケ−ブル４１，４２を通る前記第１の同期制御信号ＳＳ１１及び前記第２の同期制御信号ＳＳ１２のパルス周波数を、位相同期制御回路に供給すべき同期制御信号の１／２と低くすれば、前述のこの発明の実施の形態１の場合のような信号欠陥ｓｓｄ（図１（ｂ）ＳＳ２１，ＳＳ２２参照）は発生せず、前記第１及び第２のＵＰＳ１１，１２間に横流が流れることもなかった。
【００３６】
前述のこの発明の実施の形態２は、概念的には、同期制御信号ＳＳ１１，ＳＳ１２が電気ケ−ブル４１，４２を介して供給され夫々同期して並列運転される複数のＵＰＳ１１，１２を備えた並列ＵＰＳシステムにおいて、前記同期制御信号ＳＳ１１，ＳＳ１２の発信側（同期制御信号発生回路２１側）および受信側（前記ＵＰＳ１１，１２側）の双方に跨って設けられ前記電気ケ−ブル４１，４２に起因して前記同期制御信号の受信側に生じる歪みｓｓｄを除去する歪除去システム５を有し、この歪み除去システム５により歪みが除去された同期制御信号ＳＳ３を前記各ＵＰＳ１１，１２のインバ−タ１０５に供給するものであり、また、前記歪除去システム５は、前記同期制御信号発信側に夫々設けられ第１の同期制御信号ＳＳ１１を発生する第１の同期制御信号発信手段２１３と、前記第１の同期制御信号ＳＳ１１と位相が異なる同極性の第２の同期制御信号ＳＳ１２を発生する第２の同期制御信号発信手段２１４と、前記同期制御信号受信側に設けられ前記第１の同期制御信号ＳＳ１１と前記第２の同期制御信号ＳＳ１２とを加算して第３の同期制御信号ＳＳ３を生成し当該第３の同期制御信号ＳＳ３を前記インバ−タ１０５に供給する信号加算手段１０３とで構成されているものである。
【００３７】
従って、前述のように、例えば、元来、前記第１のＵＰＳ１１による１台での単機運転しか想定してなく、狭隘な場所に前記第１のＵＰＳ１１を設置していたようなケ−スであり、その後の信頼性向上または負荷の増大により前記第２のＵＰＳ１２を増設して前記第１のＵＰＳ１１及び前記第２のＵＰＳ１２を並列運転するような場合であって、前記第１のＵＰＳ１１及び前記第２のＵＰＳ１２は何とか同一室内に設置できたが、前記出力切換盤２は、前記第１のＵＰＳ１１及び前記第２のＵＰＳ１２と同一室内には設置スペ−スが無く、やむなく前記第１のＵＰＳ１１及び前記第２のＵＰＳ１２の設置場所とは異なる階の他の室内に設置されている場合や、例えば、前記第１のＵＰＳ１１、前記第２のＵＰＳ１２、及び前記出力切換盤２を同一室内に設置した場合であっても、他の電動機等の負荷や機器のレイアウトを変えることなく、前記出力切換盤２を、前記第１のＵＰＳ１１や前記第２のＵＰＳ１２から１０メ−トル前後或いはそれ以上離れた位置に設置し、前記同期制御信号を送る第１及び第２の電気ケ−ブル４１，４２を１０メ−トル前後或いはそれ以上長いものとし且つ前記他の電動機等の負荷や機器を避けながら湾曲して敷設した場合に、前述の歪除去システム５により、つまり、前記同期制御信号発信側に夫々設けられ第１の同期制御信号ＳＳ１１を発生する第１の同期制御信号発信手段２１３と、前記第１の同期制御信号ＳＳ１１と位相が異なる同極性の第２の同期制御信号ＳＳ１２を発生する第２の同期制御信号発信手段２１４と、前記同期制御信号受信側に設けられ前記電気ケ−ブル４１，４２を介して受信した前記第１の同期制御信号ＳＳ２１と前記第２の同期制御信号ＳＳ２２とを加算して第３の同期制御信号ＳＳ３を生成し当該第３の同期制御信号ＳＳ３を前記インバ−タ１０５に供給する信号加算手段１０３とにより、前述のように電気ケ−ブル４１，４２が長く且つ湾曲しているような場合であっても、前記電気ケ−ブル４１，４２を介して受信した前記第１の同期制御信号ＳＳ２１および前記第２の同期制御信号ＳＳ２２には前述のこの発明の実施の形態１の場合のような信号欠陥ｓｓｄ等の歪みが発生しないので、前記第１のＵＰＳ１１、前記第２のＵＰＳ１２間の横流の発生を防止できる。
【００３８】
なお、この発明の実施の形態２では前記電気ケ−ブル４１，４２を介して受信した前記第１の同期制御信号ＳＳ２１および前記第２の同期制御信号ＳＳ２２には前述のこの発明の実施の形態１の場合のような信号欠陥ｓｓｄ等の歪みが発生しないので、この発明の実施の形態２の前述の歪除去システム５の「歪除去」の表現は一見不適切に見えるが、この発明の実施の形態２の前述の歪除去システム５を設けなければ前記信号欠陥ｓｓｄ等の歪みが発生し、この発明の実施の形態２の前述の歪除去システム５を設ければ前記信号欠陥ｓｓｄ等の歪みが発生しなくなることから、「歪除去」と表現してあるものである。
【００３９】
実施の形態３．
以下、この発明の実施の形態３を図３に基づいて説明する。図３（ａ）は同期制御信号の伝送経路を主体的に示す並列ＵＰＳシステムの構成の一例を示す図、図３（ｂ）は図３（ａ）の各部における同期制御信号の波形の一例を示す図である。なお、図３（ａ）及び図３（ｂ）において、前述の図１（ａ），図２（ａ），図１（ｂ），図２（ｂ）と同一又は相当する部分には前述の図１（ａ），図２（ａ），図１（ｂ），図２（ｂ）と同一符号を付し、前述の図１（ａ），図２（ａ），図１（ｂ），図２（ｂ）と異なる部分のみを説明する。
【００４０】
この発明の実施の形態３も、この発明の実施の形態１およびこの発明の実施の形態２において前述した前提条件と同じ前提条件下で実施されるものである。
【００４１】
この発明の実施の形態３おいては、前述のこの発明の実施の形態１およびこの発明の実施の形態２における第２の同期制御信号発信手段２１４，第２の電気ケ−ブル４２，第２の受信用リレ−１０２，信号合成回路１０３，および信号加算回路１０３を設けずに、図３（ａ）及び図３（ｂ）に示すように、第１のＵＰＳ１１及び第１のＵＰＳ１２の各受信用リレ−１０１に、共通の電気ケ−ブル４１を介して共用の同期制御信号発信手段２１３から同期制御信号ＳＳ１が送られるようにし、且つ、各第１のＵＰＳ１１及び第１のＵＰＳ１２において、前記各受信用リレ−１０１の出力パルスＳＳ２を受けるワンショット回路などの前記受信用リレ−１０１の出力パルスＳＳ２の立ち上がりでトリガされる同期制御信号加工手段１０３を設けたもので、前記受信用リレ−１０１の出力パルスＳＳ２に、前記電気ケ−ブル４１が長く且つ湾曲しているような場合に信号欠陥ｓｓｄ等の歪が発生しても、前記同期制御信号加工手段１０３からは前記信号欠陥ｓｓｄ等の歪のない出力パルスＳＳ３が出力されるものである。
【００４２】
前述のこの発明の実施の形態３は、概念的には、共通の同期制御信号ＳＳ１が共通の電気ケ−ブル４１を介して供給され夫々同期して並列運転される複数のＵＰＳ１１，１２を備えた並列ＵＰＳシステムにおいて、前記電気ケ−ブル４１に起因して同期制御信号の受信側に生じる歪みｓｓｄを除去する同期制御信号加工手段１０３を前記受信側に設け、前記同期制御信号加工手段１０３により歪みが除去された同期制御信号ＳＳ３を前記各ＵＰＳ１１，１２のインバ−タ１０５に供給する並列ＵＰＳシステムであり、また、前記同期制御信号加工手段１０３が前記ＵＰＳ１１，１２の各々の受信側に設けられ、前記同期制御信号加工手段１０３が前記同期制御信号ＳＳ１２の立ち上がりでトリガされ夫々対応インバ−タ１０５に前記歪みが除去された同期制御信号ＳＳ３を供給するものである。
【００４３】
従って、前述のように、例えば、元来、前記第１のＵＰＳ１１による１台での単機運転しか想定してなく、狭隘な場所に前記第１のＵＰＳ１１を設置していたようなケ−スであり、その後の信頼性向上または負荷の増大により前記第２のＵＰＳ１２を増設して前記第１のＵＰＳ１１及び前記第２のＵＰＳ１２を並列運転するような場合であって、前記第１のＵＰＳ１１及び前記第２のＵＰＳ１２は何とか同一室内に設置できたが、前記出力切換盤２は、前記第１のＵＰＳ１１及び前記第２のＵＰＳ１２と同一室内には設置スペ−スが無く、やむなく前記第１のＵＰＳ１１及び前記第２のＵＰＳ１２の設置場所とは異なる階の他の室内に設置されている場合や、例えば、前記第１のＵＰＳ１１、前記第２のＵＰＳ１２、及び前記出力切換盤２を同一室内に設置した場合であっても、他の電動機等の負荷や機器のレイアウトを変えることなく、前記出力切換盤２を、前記第１のＵＰＳ１１や前記第２のＵＰＳ１２から１０メ−トル前後或いはそれ以上離れた位置に設置し、前記同期制御信号を送る第１及び第２の電気ケ−ブル４１を１０メ−トル前後或いはそれ以上長いものとし且つ前記他の電動機等の負荷や機器を避けながら湾曲して敷設した場合に、前記のような電気ケ−ブル４１を介して受信側で受信した同期制御信号ＳＳ２に前記信号欠陥ｓｓｄ等の歪みが発生しても、前記同期制御信号受信側に設けられ前記電気ケ−ブル４１を介して受信した前記同期制御信号ＳＳ２の前記信号欠陥ｓｓｄ等の歪みを同期制御信号加工手段１０３で除去するので、前記第１のＵＰＳ１１、前記第２のＵＰＳ１２間の横流の発生を防止できる。また、前述のこの発明の実施の形態１およびこの発明の実施の形態２における第２の同期制御信号発信手段２１４，第２の電気ケ−ブル４２，第２の受信用リレ−１０２，信号合成回路１０３，および信号加算回路１０３を設けなくて済むので、その分、前述のこの発明の実施の形態１およびこの発明の実施の形態２に比べ安価になると共に、部品点数が減ることにより、システムの信頼性が増す。
【００４４】
実施の形態４．
以下、この発明の実施の形態４を図４に基づいて説明する。図４（ａ）は同期制御信号の伝送経路を主体的に示す並列ＵＰＳシステムの構成の一例を示す図、図４（ｂ）は図４（ａ）の各部における同期制御信号の波形の一例を示す図である。なお、図４（ａ）及び図４（ｂ）において、前述の図１（ａ），図２（ａ），図３（ａ），図１（ｂ），図２（ｂ），図３（ｂ）と同一又は相当する部分には前述の図１（ａ），図２（ａ），図３（ａ），図１（ｂ），図２（ｂ），図３（ｂ）と同一符号を付し、前述の図１（ａ），図２（ａ），図３（ａ），図１（ｂ），図２（ｂ），図３（ｂ）と異なる部分のみを説明する。
【００４５】
この発明の実施の形態４も、この発明の実施の形態１〜３において前述した前提条件と同じ前提条件下で実施されるものである。
【００４６】
この発明の実施の形態４おいては、前述のこの発明の実施の形態３における第２のＵＰＳ１２の受信用リレ−１０１及び同期制御信号加工手段１０３を設けずに、図３（ａ）及び図３（ｂ）に示すように、第１のＵＰＳ１１における同期制御信号加工手段１０３の出力パルスＳＳ３を、第１のＵＰＳ１１の位相同期制御回路１０４及び第２のＵＰＳ１２の位相同期制御回路１０４に供給するようにしたものである。
【００４７】
前述のこの発明の実施の形態４は、概念的には、共通の同期制御信号ＳＳ１が共通の電気ケ−ブル４１を介して供給され夫々同期して並列運転される複数のＵＰＳ１１，１２を備えた並列ＵＰＳシステムにおいて、前記電気ケ−ブル４１に起因して同期制御信号の受信側に生じる歪みｓｓｄを除去する同期制御信号加工手段１０３を前記受信側に設け、前記同期制御信号加工手段１０３により歪みが除去された同期制御信号ＳＳ３を、並列ＵＰＳシステムを構成する複数のＵＰＳ１１，１２のインバ−タ１０５に供給するものである。
【００４８】
従って、前述のように、例えば、元来、前記第１のＵＰＳ１１による１台での単機運転しか想定してなく、狭隘な場所に前記第１のＵＰＳ１１を設置していたようなケ−スであり、その後の信頼性向上または負荷の増大により前記第２のＵＰＳ１２を増設して前記第１のＵＰＳ１１及び前記第２のＵＰＳ１２を並列運転するような場合であって、前記第１のＵＰＳ１１及び前記第２のＵＰＳ１２は何とか同一室内に設置できたが、前記出力切換盤２は、前記第１のＵＰＳ１１及び前記第２のＵＰＳ１２と同一室内には設置スペ−スが無く、やむなく前記第１のＵＰＳ１１及び前記第２のＵＰＳ１２の設置場所とは異なる階の他の室内に設置されている場合や、例えば、前記第１のＵＰＳ１１、前記第２のＵＰＳ１２、及び前記出力切換盤２を同一室内に設置した場合であっても、他の電動機等の負荷や機器のレイアウトを変えることなく、前記出力切換盤２を、前記第１のＵＰＳ１１や前記第２のＵＰＳ１２から１０メ−トル前後或いはそれ以上離れた位置に設置し、前記同期制御信号を送る第１及び第２の電気ケ−ブル４１を１０メ−トル前後或いはそれ以上長いものとし且つ前記他の電動機等の負荷や機器を避けながら湾曲して敷設した場合に、前記のような電気ケ−ブル４１を介して受信側で受信した同期制御信号ＳＳ２に前記信号欠陥ｓｓｄ等の歪みが発生しても、前記同期制御信号受信側に設けられ前記電気ケ−ブル４１を介して受信した前記同期制御信号ＳＳ２の前記信号欠陥ｓｓｄ等の歪みを同期制御信号加工手段１０３で除去するので、前記第１のＵＰＳ１１、前記第２のＵＰＳ１２間の横流の発生を防止できる。また、前述のこの発明の実施の形態３における第２のＵＰＳ１２の受信用リレ−１０１および同期制御信号加工手段１０３を設けなくて済むので、その分、前述のこの発明の実施の形態３に比べ安価になると共に、部品点数が減ることにより、システムの信頼性が増す。
【００４９】
実施の形態５．
以下、この発明の実施の形態５を図５に基づいて説明する。図５（ａ）は同期制御信号の伝送経路を主体的に示す並列ＵＰＳシステムの構成の一例を示す図、図５（ｂ）は図５（ａ）の各部における同期制御信号の波形の一例を示す図である。なお、図５（ａ）及び図５（ｂ）において、前述の図１（ａ），図２（ａ），図３（ａ），図４（ａ），図１（ｂ），図２（ｂ），図３（ｂ），図４（ｂ）と同一又は相当する部分には前述の図１（ａ），図２（ａ），図３（ａ），図４（ａ），図１（ｂ），図２（ｂ），図３（ｂ），図４（ｂ）と同一符号を付し、前述の図１（ａ），図２（ａ），図３（ａ），図４（ａ），図１（ｂ），図２（ｂ），図３（ｂ），図４（ｂ）と異なる部分のみを説明する。
【００５０】
この発明の実施の形態５も、この発明の実施の形態１〜４において前述した前提条件と同じ前提条件下で実施されるものである。
【００５１】
この発明の実施の形態５おいては、図５（ａ）および図５（ｂ）に示すように、出力切換盤２の同期信号発生回路２１における電源２１２を正弦波の交流電源とし、同期制御信号発信手段２１３から発信される同期制御信号ＳＳ１１を周期Ｔの正弦波の交流信号としたものであり、この周期Ｔの正弦波の交流信号である同期制御信号ＳＳ１１は、電気ケ−ブル４１を介して、第１のＵＰＳ１１及び第２のＵＰＳ１２の各受信用リレ−１０１に送られる。第１のＵＰＳ１１及び第２のＵＰＳ１２の各受信用リレ−１０１は、周期Ｔの正弦波の交流信号である同期制御信号ＳＳ１１を受信して、周期Ｔのパルス信号である出力信号ＳＳ２１を出し、同期制御信号として位相同期制御回路１０４に供給する。
【００５２】
例えば、元来、前記第１のＵＰＳ１１による１台での単機運転しか想定してなく、狭隘な場所に前記第１のＵＰＳ１１を設置していたようなケ−スであり、その後の信頼性向上または負荷の増大により前記第２のＵＰＳ１２を増設して前記第１のＵＰＳ１１及び前記第２のＵＰＳ１２を並列運転するような場合であって、前記第１のＵＰＳ１１及び前記第２のＵＰＳ１２は何とか同一室内に設置できたが、前記出力切換盤２は、前記第１のＵＰＳ１１及び前記第２のＵＰＳ１２と同一室内には設置スペ−スが無く、やむなく前記第１のＵＰＳ１１及び前記第２のＵＰＳ１２の設置場所とは異なる階の他の室内に設置されている場合や、例えば、前記第１のＵＰＳ１１、前記第２のＵＰＳ１２、及び前記出力切換盤２を同一室内に設置した場合であっても、他の電動機等の負荷や機器のレイアウトを変えることなく、前記出力切換盤２を、前記第１のＵＰＳ１１や前記第２のＵＰＳ１２から１０メ−トル前後或いはそれ以上離れた位置に設置し、前記同期制御信号を送る第１及び第２の電気ケ−ブル４１，４２を１０メ−トル前後或いはそれ以上長いものとし且つ前記他の電動機等の負荷や機器を避けながら湾曲して敷設した場合にも、前述の図５（ａ），図５（ｂ）に示すこの発明の実施の形態５によれば、前述のこの発明の実施の形態１，実施の形態３，及び実施の形態４の場合のような信号欠陥ｓｓｄ（図１（ｂ），図３（ｂ），図４（ｂ）のＳＳ２１，ＳＳ２２参照）は発生せず、前記第１及び第２のＵＰＳ１１，１２間に横流が流れることもなかった。
【００５３】
前述のこの発明の実施の形態５は、概念的には、共通の同期制御信号ＳＳ１１が電気ケ−ブル４１を介して供給され夫々同期して並列運転される複数のＵＰＳ１１，１２を備えた並列ＵＰＳシステムにおいて、正弦波の同期制御信号ＳＳ１１を発生する同期制御信号発生手段２１３を同期制御信号発信側に設け、前記電気ケ−ブル４１を介して送られてきた正弦波の同期制御信号ＳＳ１１を受信用リレ−１０１によりパルス信号の同期制御信号ＳＳ２１として前記インバ−タ１０５に供給するものである。
【００５４】
従って、前述のように、例えば、元来、前記第１のＵＰＳ１１による１台での単機運転しか想定してなく、狭隘な場所に前記第１のＵＰＳ１１を設置していたようなケ−スであり、その後の信頼性向上または負荷の増大により前記第２のＵＰＳ１２を増設して前記第１のＵＰＳ１１及び前記第２のＵＰＳ１２を並列運転するような場合であって、前記第１のＵＰＳ１１及び前記第２のＵＰＳ１２は何とか同一室内に設置できたが、前記出力切換盤２は、前記第１のＵＰＳ１１及び前記第２のＵＰＳ１２と同一室内には設置スペ−スが無く、やむなく前記第１のＵＰＳ１１及び前記第２のＵＰＳ１２の設置場所とは異なる階の他の室内に設置されている場合や、例えば、前記第１のＵＰＳ１１、前記第２のＵＰＳ１２、及び前記出力切換盤２を同一室内に設置した場合であって、他の電動機等の負荷や機器のレイアウトを変えることなく、前記出力切換盤２を、前記第１のＵＰＳ１１や前記第２のＵＰＳ１２から１０メ−トル前後或いはそれ以上離れた位置に設置し、前記同期制御信号を送る第１及び第２の電気ケ−ブル４１を１０メ−トル前後或いはそれ以上長いものとし且つ前記他の電動機等の負荷や機器を避けながら湾曲して敷設した場合であっても、この発明の実施の形態５によれば、前記電気ケ−ブル４１を介して受信した前記第１の同期制御信号ＳＳ２１には、前述のこの発明の実施の形態１，実施の形態３，及び実施の形態４の場合のような信号欠陥ｓｓｄ等の歪みが発生せず、前記第１及び第２のＵＰＳ１１，１２間の横流の発生を防止できる。また、前述のこの発明の実施の形態１およびこの発明の実施の形態２における第２の同期制御信号発信手段２１４，第２の電気ケ−ブル４２，第２の受信用リレ−１０２，信号合成回路１０３，および信号加算回路１０３を設けなくて済み、また、この発明の実施の形態３における同期制御信号加工手段１０３を設けなくて済むので、その分、前述のこの発明の実施の形態１、実施の形態２、及び実施の形態３に比べ安価になると共に、部品点数が減ることにより、システムの信頼性が増す。
【００５５】
【発明の効果】
請求項１に記載の並列ＵＰＳシステムの発明は、同期制御信号が電気ケ−ブルを介して供給され夫々同期して並列運転される複数のＵＰＳを備えた並列ＵＰＳシステムにおいて、前記同期制御信号の発信側及び受信側の双方に跨って設けられ前記電気ケ−ブルに起因して前記同期制御信号の受信側に生じる歪みを除去する歪除去システムを有し、この歪み除去システムにより歪みが除去された同期制御信号を前記ＵＰＳのインバ−タに供給するので、前述のように、複数のＵＰＳやそれらの出力切換盤の設置場所の関係で前記電気ケ−ブルがどうしても長くなりしかも湾曲して敷設しなければならないような場合であっても、前記第１及び第２のＵＰＳ間の横流の発生を防止できる効果がある。
【００５６】
また、請求項４に記載の並列ＵＰＳシステムの発明は、共通の同期制御信号が電気ケ−ブルを介して供給され夫々同期して並列運転される複数のＵＰＳを備えた並列ＵＰＳシステムにおいて、前記電気ケ−ブルに起因して同期制御信号の受信側に生じる歪みを除去する同期制御信号加工手段を前記受信側に設け、前記同期制御信号加工手段により歪みが除去された同期制御信号を前記ＵＰＳのインバ−タに供給するので、前述のように、複数のＵＰＳやそれらの出力切換盤の設置場所の関係で前記電気ケ−ブルがどうしても長くなりしかも湾曲して敷設しなければならないような場合であっても、前記第１及び第２のＵＰＳ間の横流の発生を防止できる効果があり、また、第２の同期制御信号発信手段，第２の電気ケ−ブル，第２の受信用リレ−等を設けなくてもよいので、安価になると共に、部品点数が減ることにより、システムの信頼性が増す効果がある。
【００５７】
また、請求項７に記載の並列ＵＰＳシステムの発明は、共通の同期制御信号が電気ケ−ブルを介して供給され夫々同期して並列運転される複数のＵＰＳを備えた並列ＵＰＳシステムにおいて、正弦波の同期制御信号を発生する同期制御信号発生手段を同期制御信号発信側に設け、前記電気ケ−ブルを介して送られてきた正弦波の同期制御信号を受信用リレ−によりパルス信号の同期制御信号として前記ＵＰＳのインバ−タに供給するので、前述のように、複数のＵＰＳやそれらの出力切換盤の設置場所の関係で前記電気ケ−ブルがどうしても長くなりしかも湾曲して敷設しなければならないような場合であっても、前記第１及び第２のＵＰＳ間の横流の発生を防止できる効果があり、また、第２の受信用リレ−や信号加算手段等を設けなくてもよいので、安価になると共に、部品点数が減ることにより、システムの信頼性が増す効果がある。
【図面の簡単な説明】
【図１】この発明の実施の形態１を示す図で、（ａ）は同期制御信号の伝送経路を主体的に示す並列ＵＰＳシステムの構成の一例を示す図、（ｂ）は図１（ａ）の各部における同期制御信号の波形の一例を示す図である。
【図２】この発明の実施の形態２を示す図で、（ａ）は同期制御信号の伝送経路を主体的に示す並列ＵＰＳシステムの構成の一例を示す図、（ｂ）は図２（ａ）の各部における同期制御信号の波形の一例を示す図である。
【図３】この発明の実施の形態３を示す図で、（ａ）は同期制御信号の伝送経路を主体的に示す並列ＵＰＳシステムの構成の一例を示す図、（ｂ）は図３（ａ）の各部における同期制御信号の波形の一例を示す図である。
【図４】この発明の実施の形態４を示す図で、（ａ）は同期制御信号の伝送経路を主体的に示す並列ＵＰＳシステムの構成の一例を示す図、（ｂ）は図４（ａ）の各部における同期制御信号の波形の一例を示す図である。
【図５】この発明の実施の形態５を示す図で、（ａ）は同期制御信号の伝送経路を主体的に示す並列ＵＰＳシステムの構成の一例を示す図、（ｂ）は図５（ａ）の各部における同期制御信号の波形の一例を示す図である。
【符号の説明】
２  出力切換盤、
５  歪除去システム、
１１  第１のＵＰＳ、            １２  第２のＵＰＳ、
２１  同期制御信号発生回路、
４１  第１の電気ケ−ブル、          ４２  第２の電気ケ−ブル、
１０３  信号合成手段，信号加算手段，同期制御信号加工手段、
１０５  インバ−タ、
２１３  第１の同期制御信号発生手段、
２１４  第２の同期制御信号発生手段、
ＳＳ１１  第１の同期制御信号、      ＳＳ１２  第２の同期制御信号、
ＳＳ３  第３の同期制御信号。
【図１】
2004357387.tif 000003
【図２】
2004357387.tif 000004
【図３】
2004357387.tif 000005
【図４】
2004357387.tif 000006
【図５】
2004357387.tif 000007